(57)【要約】【課題】ドライビングレコーダにおいて、データ取り出し部に対する防滴機能又は防水機能を備えさせるとともに、前記データ取り出し部が設けられた開口部の開閉作業を容易にする。【解決手段】記録媒体４２を収容するケーシング本体部２１と、ケーシング本体部２１に形成されたメモリ挿入口２２と、メモリ挿入口２２を取り囲むように形成された筒壁部２３と、筒壁部２３の内側周面２３ｎに密着して筒壁部２３の開口を閉塞するキャップ部材２４とを具備し、キャップ部材２４が、筒壁部２３の開口を閉塞した状態において、筒壁部２３の外側周面２３ｍに沿って筒壁部２３の開口方向Ｘに向かって指をスライドさせると引っ掛かる引っ掛かり部２４２を有する。【選択図】図３
2014102769.tif 000002
【特許請求の範囲】
【請求項１】
車両の挙動や周囲状況等に関する状態をセンシングする検知手段から出力された状態データを格納する記録媒体を収容するケーシング本体部と、
前記ケーシング本体部に形成され、前記記録媒体に記録された状態データを外部に取り出すためのデータ取り出し部と、
前記ケーシング本体部において前記データ取り出し部を取り囲むように形成された筒壁部と、
前記筒壁部の内側周面に密着し、前記筒壁部の開口を閉塞するキャップ部材とを具備し、
前記キャップ部材が、前記筒壁部の開口を閉塞した状態において、前記筒壁部の外側周面に沿って前記筒壁部の開口方向に向かって指をスライドさせると引っ掛かる引っ掛かり部を有するドライビングレコーダ。
【請求項２】
前記ケーシング本体部が、外部壁面に取り付けられる被取付面と、当該被取付面に対向する対向面と、前記被取付面及び前記対向面の間に形成された側面とを有しており、
前記データ取り出し部及び前記筒壁部が、前記側面に形成されており、
前記引っ掛かり部が、前記被取付面とは反対側に形成されている請求項１記載のドライビングレコーダ。
【請求項３】
前記引っ掛かり部が、前記筒壁部の開口を閉塞した状態において、前記筒壁部の外側周面から、前記開口方向に直交する方向に突出している請求項１又は２記載のドライビングレコーダ。
【請求項４】
前記引っ掛かり部が、前記筒壁部の開口を閉塞した状態において、前記筒壁部の外側周面に沿って形成され、且つ前記筒壁部の端部から前記開口方向外側に突出する所定の厚みを有するものである請求項１乃至３の何れかに記載のドライビングレコーダ。
【発明の詳細な説明】
【技術分野】
【０００１】
本発明は、ドライビングレコーダに関するものである。
【背景技術】
【０００２】
従来のドライビングレコーダ（ドライブレコーダともいう。）としては、特許文献１に示すように、車両の挙動や周囲状況等に関する状態をセンシングし、その状態を示す状態データを出力する検知手段及びこの検知手段から出力された状態データを記録するメモリカード等の状態データ格納部をケーシングに保持させたドライビングレコーダが考えられている。このドライビングレコーダは、主として、タクシー等の自動車等の車両内に設置されて用いられている。
【先行技術文献】
【特許文献】
【０００３】
【特許文献１】特開２００８−３０５２５４号公報
【発明の概要】
【発明が解決しようとする課題】
【０００４】
ところで、近時、ドライビングレコーダを例えばバイク等の二輪自動車に搭載して、当該二輪自動車の日常運転の事後分析による事故予防対策や、事故が起こったときにはその原因の客観的な証拠、究明等のために、この種のドライビングレコーダを搭載する動きが出てきている。
【０００５】
しかしながら、従来のドライビングレコーダは、ＳＤカード等のメモリカードを差し込むためのカード挿入口がケーシングの外面に形成されているため、このカード挿入口から内部に水滴等が浸入してしまい、データが壊れてしまうだけでなく、メモリカードやドライビングレコーダが故障してしまうという問題がある。なお、カード挿入口にカバーを設けたものもあるが、このカバーはメモリカードへの物理的な衝撃を防ぐとともに、メモリカードが不意に抜けてしまうことを防ぐものであり、水滴等の侵入を防ぐものではない。
【０００６】
そこで本発明は、上記問題点を一挙に解決すべくなされたものであり、ドライビングレコーダにおいて、カード挿入口等のデータ取り出し部に対する防滴機能又は防水機能を備えさせるとともに、前記データ取り出し部が設けられた開口部の開閉作業を容易にすることをその主たる所期課題とするものである。
【課題を解決するための手段】
【０００７】
すなわち本発明に係るドライビングレコーダは、車両の挙動や周囲状況等に関する状態をセンシングする検知手段から出力された状態データを格納する記録媒体を収容するケーシング本体部と、前記ケーシング本体部に形成され、前記記録媒体に記録された状態データを外部に取り出すためのデータ取り出し部と、前記ケーシング本体部において前記データ取り出し部を取り囲むように形成された筒壁部と、前記筒壁部の内側周面に密着し、前記筒壁部の開口を閉塞するキャップ部材とを具備し、前記キャップ部材が、前記筒壁部の開口を閉塞した状態において、前記筒壁部の外側周面に沿って前記筒壁部の開口方向に向かって指をスライドさせると引っ掛かる引っ掛かり部を有することを特徴とする。
【０００８】
このようなものであれば、ケーシング本体部においてデータ取り出し部を取り囲むように形成された筒壁部を設け、当該筒壁部の内側周面に密着して閉塞するキャップ部材を設けているので、データ取り出し部に対して防滴機能又は防水機能を備えさせることができる。また、このキャップ部材に引っ掛かり部を設け、筒壁部の外側周面を、筒壁部の開口方向に向かって指をスライドさせると引っ掛かるように構成しているので、キャップ部材を開ける作業が容易となる。
【０００９】
なお、キャップ部材の外面（閉塞状態にあるキャップ部材の外側面）に開口方向に沿って延びるつまみ部を設けて、当該つまみ部を摘んでキャップ部材を開ける構成にすることも考えられる。ところが、このつまみ部を設ける構成では、つまみ部を摘んで開口方向に引っ張る必要があり、キャップ部材が内側周面に密着していることもあってキャップ部材を開けにくい。また、手袋をはめた状態では、つまみ部を摘んで引っ張る作業がより一層困難となる。ここで、摘まみ部の長さを長くすることで手袋をはめた状態であってもつまみ易くすることが考えられるが、つまみ部が長くなってしまい、周囲物の邪魔となってしまう。
【００１０】
前記筒壁部の外側周面と、前記ケーシング本体部の外側周面とが同一面状に連続していることが望ましい。
これならば、指をスライドさせる領域を筒壁部からケーシング本体部の外側周面にまで広げることができ、キャップ部材を開ける動作をより一層容易にすることができる。
【００１１】
なお、ドライビングレコーダ全体として外面の凹凸を少なくして、シンプルな形状とするためには、前記筒壁部の外側周面全体と、前記ケーシング本体部の外側周面が同一面状に連続していることが望ましい。
【００１２】
前記ケーシング本体部が、外部壁面に取り付けられる被取付面と、当該被取付面に対向する対向面と、前記被取付面及び前記対向面の間に形成された側面とを有しており、前記データ取り出し部及び前記筒壁部が、前記側面に形成されており、前記引っ掛かり部が、前記被取付面とは反対側に形成されていることが望ましい。
これならば、ドライビングレコーダを全体的に薄くすることができる。また、ドライビングレコーダを外部壁面に取り付けて使用する場合において、外部壁面とは反対側に引っ掛かり部が設けられるので、外部壁面に取り付けられた状態において、キャップ部材を開ける動作をより一層容易にすることができる。
【００１３】
引っ掛かり部の具体的な実施の態様としては、前記引っ掛かり部が、（１）前記筒壁部の開口を閉塞した状態において、前記筒壁部の外側周面から、前記開口方向に直交する方向に突出していること、又は、（２）前記筒壁部の開口を閉塞した状態において、前記筒壁部の外側周面に沿って形成され、且つ前記筒壁部の端部から前記開口方向外側に突出する所定の厚みを有するものであることが考えられる。
ここで、上記（１）の引っ掛かり部は、上記（２）に比べて、キャップ部材の厚みを薄くすることができ、ドライビングレコーダを小型化することができる。一方、上記（２）の引っ掛かり部は、筒壁部の外側周面と同一面状に設けられるので、上記（１）に比べて、筒壁部周囲の周囲物が不意に接触してキャップ部材が開いてしまうことを防止することができる。
【発明の効果】
【００１４】
このように構成した本発明によれば、キャップ部材が筒壁部の内側周面に密着するので、データ取り出し部に対する防滴機能又は防水機能を備えさせることができるとともに、キャップ部材が引っ掛かり部を有しているので、前記データ取り出し部が設けられた開口部の開閉作業を容易にすることができる。
【図面の簡単な説明】
【００１５】
【図１】本実施形態のドライビングレコーダの斜視図。
【図２】同実施形態のドライビングレコーダの構成ブロック図。
【図３】同実施形態のドライビングレコーダのカバー開状態の斜視図。
【図４】同実施形態のドライビングレコーダの正面図。
【図５】同実施形態のドライビングレコーダの右側面図。
【図６】同実施形態のドライビングレコーダの部分拡大断面図。
【図７】同実施形態のドライビングレコーダの部分拡大底面図。
【図８】変形実施形態のドライビングレコーダの部分拡大底面図。
【図９】変形実施形態のドライビングレコーダの斜視図。
【発明を実施するための形態】
【００１６】
以下に本発明に係るドライビングレコーダについて図面を参照して説明する。
【００１７】
本実施形態のドライビングレコーダ１００は、車両Ｖの挙動や周囲状況等を例えば常時記録する車両搭載型のものであり、図１に示すように、全体形状が概略扁平形状をなす単一のケーシング２内に、少なくとも記録媒体を、さらに本実施形態では検知手段３、情報処理手段４及び報知手段５等を収容した一体構成のものである。このドライビングレコーダ１００は、記録媒体としての着脱式記録手段６が、データ取り出し部２２に対して着脱可能に収容されるように構成されている。さらに、このドライビングレコーダ１００は、二輪自動車（例えば業務用バイク）の例えばリアボックス等の荷物ボックスＢ内に取り付けられるものである。
【００１８】
検知手段３は、図２等に示すように、車両の挙動や周囲状況等に関する状態をセンシングし、その状態を示す状態データを出力するものであり、ここでは、加速度センサ３１及び位置センサ３２の２種類を少なくとも用いている。加速度センサ３１は、例えばピエゾ抵抗効果を利用して構成したもので、車両に作用する１〜３次元（例えば３次元であれば、前後、左右、上下）の加速度をセンシングし、その加速度を示す状態データ（加速度データ）を出力するものである。位置センサ３２は、例えば複数衛星からの電波をキャッチして自動車Ｖの位置をセンシングし、その位置を示す状態データ（位置データ）を出力するＧＰＳ受信機である。
【００１９】
なお、状態データには、その他、車両に搭載された例えばＣＣＤカメラ等の撮像手段から送信されてくる状態データ（動画像データ）、自動車Ｖの車速センサから送信されてくる車速データ等があって、これらは、コネクタＣＮを介して受信される。またこのコネクタＣＮには電源用ケーブルＣ１も接続される。
【００２０】
報知手段５は、ケーシングの表面に露出させた発光体であるＬＥＤや、ケーシングに内蔵したブザーやスピーカ等の音声出力体（図示しない）等からなる。
【００２１】
着脱式記録手段６は、ここでは、ケーシング２の側方に開口するカード挿入口２２に抜脱可能に取り付けたメモリカードである。
【００２２】
情報処理手段４は、構造的には、図２に示すように、ＣＰＵ４１、内部メモリ４２（例えば不揮発性メモリ）、Ｉ／Ｏバッファ回路（ＡＤコンバータ等が含まれる場合もある）４３等を有したいわゆるコンピュータ回路であり、ケーシング２に内蔵されている。そして前記ＣＰＵ４１がメモリ４２の所定領域に格納したプログラムに従って動作することで前記各手段の制御や情報処理を行う。
【００２３】
簡単に説明するとＣＰＵ４１は、走行中の種々の状態データ、すなわち加速度データや位置データ、動画像データ等を、前記着脱式記録手段６に移送して記録する。この状態データを記録した着脱式記録手段６は、ケーシング２から抜き出して解析センターに運び込まれて、事後の解析に利用される。
【００２４】
ここで、着脱式記録手段６には、走行中の種々の状態データが常時記録される常時記録領域（常時記録フォルダ）と、ヒヤリハットや事故、異常発生等の発生を間接的に示す事象が生じた場合に、その前後一定期間に亘る前記状態データを記録するヒヤリハット等記録領域（ヒヤリハット等記録フォルダ）とが設けられている。
【００２５】
前記事象とは、加速度データが示す加速度（減速度）が所定基準値を超えた場合や、その時間が一定以上続いた場合、車両の電源が切れた場合などがそれに相当する。ここでは、生じた事象によっては、車速が上限速度以上の場合、車速が加減速度以下の場合、ブレーキの有無などの他の条件のいくつかが合わせて成立した場合にのみ、それをトリガとしてデータ記録を行うようにし、無駄なデータの記録ができるだけ行われないようにしている。
【００２６】
しかして本実施形態のケーシング２は、図１、図３〜図６に示すように、前記検知手段３等を収容するケーシング本体部２１と、このケーシング本体部２１に形成された前記メモリカード６を抜脱可能に装着するためのデータ取り出し部となるカード挿入口２２と、このカード挿入口２２を取り囲むように形成された筒壁部２３と、この筒壁部２３の開口を閉塞するキャップ部材２４とを有する。
【００２７】
ケーシング本体部２１は、図４及び図５に示すように、断面概略扁平形状をなすものであり、荷物ボックスＢの内面Ｂａ（外部壁面）に取り付けられる被取付面となる第１扁平面２１ａと、この第１扁平面２１ａに対向する第２扁平面２１ｂと、これら互いに対向する第１扁平面２１ａ及び第２扁平面２１ｂの間において、第１方向である幅方向（図４において左右方向）に対向する第１側面２１ｃ及び第２側面２１ｄと、前記対向する第１扁平面２１ａ及び第２扁平面２１ｂの間において、前記第１方向に直交する第２方向である高さ方向（図４において上下方向）に対向する第３側面２１ｅ及び第４側面２１ｆとを有する。
【００２８】
本実施形態の第１扁平面２１ａ及び第２扁平面２１ｂは、平面視において概略矩形状の平面であり、第１側面２１ｃ及び第２側面２１ｄは、前記被取付面となる第１扁平面２１ａに略直交する平面であり、第３側面２１ｅ及び第４側面２１ｆは、前記対向する第１扁平面２１ａ及び第２扁平面２１ｂに連続する概略半円状をなす湾曲面である。ここで、第３側面２１ｅ又は第４側面２１ｆの一方が上側となるように、ケーシング２を荷物ボックスＢの内面（外部壁面Ｂａ）に取り付けることにより、ケーシング２の上面が湾曲面となるため、荷物ボックスＢに荷物を収容する際に、ケーシング２の上面が邪魔になりにくくすることができる（図５参照）。
【００２９】
そして、前記被取付面となる第１扁平面２１ａに略直交する第１側面２１ｃには、カード挿入口２２及び筒壁部２３が形成されている。一方で、第２側面２１ｄには、車両側の電源から電力を供給するための電源用ケーブルＣ１や、撮像手段からの動画像データや車速センサからの車速データを受信するための受信用ケーブルＣ２等が接続されている。ここで、第２側面２１ｄには、各ケーブルＣ１、Ｃ２の接続部分に防滴機能又は防水機能を備えさせるためのシール部材２５が設けられている（図４参照）。その他、ケーシング本体部２１の第２側面２１ｄにおける各ケーブルＣ１、Ｃ２の接続部分における挟持構造によっても防滴機能又は防水機能を発揮するように構成している。
【００３０】
筒壁部２３は、図３等に示すように、前記ケーシング本体部２１において前記カード挿入口２２が設けられた第１側面２１ｃにおいて、前記カード挿入口２２を取り囲むように形成されている。本実施形態の筒壁部２３は、図４及び図６に示すように、その外側周面２３ｍが前記ケーシング本体部２１の外側周面２１ｍと同一面状（面一状）に連続するように形成されている。つまり、ケーシング２は、外観形状において、ケーシング本体部２１と筒壁部２３との段差等による境界が無い形状である。言い換えれば、筒壁部２３における開口方向Ｘに直交する断面において、筒壁部２３の断面輪郭形状は、前記ケーシング本体部２１の断面輪郭形状と同一である。
【００３１】
キャップ部材２４は、例えば樹脂等の弾性材料からなり、図３〜図７に示すように、筒壁部２３の内側周面２３ｎに密着し、筒壁部２３の開口を閉塞するものである。このキャップ部材２４は、筒壁部２３の開口を閉塞した状態において、筒壁部２３の内側周面２３ｎの周方向全体に亘って接触する接触部２４１と、同じく筒壁部２３の開口を閉塞した状態において、筒壁部２３の外側周面２３ｍに沿って前記筒壁部２３の開口方向Ｘに向かって指をスライドさせると引っ掛かる引っ掛かり部２４２とを有する。
【００３２】
前記キャップ部材２４の接触部２４１は、例えば筒壁部２３の内側周面２３ｎとその周方向全体に亘り均一の厚みをもって接触してシールするものである。具体的に接触部２４１は、前記筒壁部２３の開口形状よりも若干大きい相似形状をなすものであり、前記筒壁部２３の開口を閉塞した状態において弾性変形による弾性復帰力を前記筒壁部２３の内側周面２３ｎに作用することで、筒壁部２３の内側周面２３ｎの全周に押圧接触するものである。これにより、外部からの水滴等が侵入しない防滴構造又は防水構造を構成することができる。また、キャップ部材２４の内面（ケーシング本体部２１を向く面）には、カード挿入口２２から突出したメモリカード６を収納する収納凹部２４３が形成されている。このように収納凹部２４３を形成することで、キャップ部材２４を第１側面２１ｃにオフセットさせることができ、ドライビングレコーダ１００を左右方向に大型化することなく、接触部２４１による接触面積を大きくすることができる。
【００３３】
また、キャップ部材２４の引っ掛かり部２４２は、図５に示すように、前記筒壁部２３の開口を閉塞した状態において、筒壁部２３の開口方向Ｘの外部に形成され、前記筒壁部２３の周方向における所定範囲（例えば、第２扁平面２１ｂ側で、且つ、第３側面２１ｅ側又は第４側面２１ｆ側の少なくとも一部の範囲）に形成された肉厚部である。具体的に本実施形態の引っ掛かり部２４２は、前記ケーシング本体部２１における被取付面となる第１扁平面２１ａとは反対側の対向面（第２扁平面２１ｂ）の所定位置から第１扁平面２１ａ及び第２扁平面２１ｂの間に形成される第４側面２１ｆの所定位置に亘って連続的に形成されている。つまり、ドライビングレコーダ１００を、その第３側面２１ｅが上側、第４側面２１ｆが下側となるように荷物ボックスＢの内面Ｂａ（外部壁面）に取り付けた状態において、引っ掛かり部２４２が、荷物ボックスＢの中央側に形成されるとともに、荷物ボックスＢの底側に形成されることになる。
【００３４】
本実施形態の引っ掛かり部２４２は、図６及び図７に示すように、筒壁部２３の開口を閉塞した状態において、筒壁部２３の外側周面２３ｍから、開口方向Ｘに直交する方向に突出するように構成されている。つまり、引っ掛かり部２４２は、前記キャップ部材２４の接触部２４１が前記筒壁部２３内に嵌め入れられた状態において、前記筒壁部２３よりも開口方向Ｘの外側に位置するとともに、筒壁部２３の外側周面２３ｍから開口方向Ｘに直交する方向に突出している。なお、前記引っ掛かり部２４２における、前記外側周面２３ｍからの開口方向Ｘに直交する方向への突出量としては、例えば１〜２ｍｍ程度である。また、図５に示すように、本実施形態の引っ掛かり部２４２は、その中心軸が、接触部２４１の中心軸に対して、第２扁平面２１ｂ側に所定距離ずれている。さらに、図４等に示すように、前記キャップ部材２４の接触部２４１が前記筒壁部２３内に嵌め入れられた状態において、肉厚部である引っ掛かり部２４２は、筒壁部２３の開口端面よりも開口方向Ｘ外側に突出しており、接触部２４１における引っ掛かり部２４２が設けられていない外面部分は、筒壁部２３の対向端面と略面一（連続的）となるように構成されている。
【００３５】
このように引っ掛かり部２４２が構成されているので、キャップ部材２４により筒壁部２３の開口を閉塞した状態で、操作者が前記筒壁部２３の外側周面２３ｍに沿って開口方向Ｘに向けて指をスライドさせて、筒壁部２３の開口端部近傍に指を持っていくと、筒壁部２３の外側周面２３ｍよりも外側に突出した引っ掛かり部２４２に引っ掛かる（図６及び図７参照）。指に引っ掛かり部２４２が引っ掛かった状態のまま、さらに指を開口方向Ｘに沿って外側に持っていくと、キャップ部材２４の接触部２４１が筒壁部２３から抜き出されて、筒壁部２３の開口が開く（図３参照）。この状態で、前記カード挿入口２２に挿入されたメモリカード６を抜く又は前記カード挿入口２２にメモリカード６を挿入することができる。
【００３６】
さらに本実施形態のキャップ部材２４は、図５及び図６に示すように、当該キャップ部材２４及びケーシング本体部２１の間に介在して設けられた連結機構２６より、ケーシング本体部２１に着脱可能に連結されている。
【００３７】
具体的に連結機構２６は、前記キャップ部材２４又は前記ケーシング本体部２１の一方に設けられた突起部２６１と、前記キャップ部材２４又は前記ケーシング本体部２１の他方に設けられ、前記突起部２６１が弾性変形して嵌合する嵌合支持部２６２とから構成されている。また、この連結機構２６は、前記キャップ部材２４を開ける際に所定以上の力が加わると、前記嵌合支持部２６２と前記突起部２６１とが離脱して、キャップ部材２４がケーシング本体部２１から取り外されるように構成されている。本実施形態では、キャップ部材２４に突起部２６１が設けられており、ケーシング本体部２１に嵌合支持部２６２が設けられている。
【００３８】
前記突起部２６１は、前記キャップ部材２４において、引っ掛かり部２４２とは反対側端部の内面（ケーシング本体部２１を向く面）に形成されている。また、嵌合支持部２６２は、ケーシング本体部２１において、前記キャップ部材２４が筒壁部２３を閉塞した状態において、前記突起部２６１と対応する部分に形成されている。なお、嵌合支持部２６２としては、図６に示すように、第１側面２１ｃに形成された貫通孔であっても良いし、凹部であっても良い。
【００３９】
このような構成の連結機構２６により連結されたキャップ部材２４は、引っ掛かり部２４２を用いてキャップ部材２４を開けると、キャップ部材２４の一端側（引っ掛かり部２４２が設けられた部分）から捲れ上がり、キャップ部材２４の他端側（連結機構２６が設けられた部分）は筒壁部２３に嵌った状態のままである（図３参照）。このように、メモリカード６の装着又は抜脱を行うことができる程度にキャップ部材２４をめくって作業を行うことができるので、その後、キャップ部材２４を筒壁部２３に嵌め入れる作業を容易にすることができる。また、キャップ部材２４がケーシング本体部２１に連結されているので、キャップ部材２４を紛失してしまう恐れが無い。さらに、キャップ部材２４に所定以上の力が加わった際にキャップ部材２４がケーシング本体部２１から取り外される構造としているので、キャップ部材２４の破損を防ぐことができるとともに、劣化又は破損したキャップ部材２４を交換することが容易となる。
【００４０】
このように構成した本実施形態に係るドライビングレコーダ１００によれば、ケーシング本体部２１においてデータ取り出し部２２を取り囲むように形成された筒壁部２３を設け、当該筒壁部２３の内側周面２３ｎに密着して閉塞するキャップ部材２４を設けているので、カード挿入口２２に対して防滴機能又は防水機能を備えさせることができる。また、このキャップ部材２４に引っ掛かり部２４２を設け、筒壁部２３の外側周面２３ｍを、筒壁部２３の開口方向Ｘに向かって指をスライドさせると引っ掛かるように構成しているので、キャップ部材２４を開ける作業が容易となる。特に引っ掛かり部２４２が、被取付面となる第１扁平面２１ａとは反対側に形成されているので、ドライビングレコーダ１００が荷物ボックスＢに取り付けられた状態のまま、キャップ部材２４の開け閉めが容易となる。
【００４１】
なお、本発明は前記実施形態に限られるものではない。
例えば、前記実施形態の引っ掛かり部２４２は、筒壁部２３の外側周面２３ｍから突出したものであったが、図８に示すように、筒壁部２３の開口を閉塞した状態において、筒壁部２３の外側周面２３ｍに沿って形成され、且つ筒壁部２３の端部から開口方向Ｘ外側に突出する所定の厚みを有するものであっても良い。
【００４２】
また、引っ掛かり部２４２は、被取付面となる第１扁平面２１ａとは反対側の対向面（第２扁平面２１ｂ）と、第４側面２１ｆとにそれぞれ間欠的に設けられたものであっても良いし、それら何れか一方に形成されるものであっても良い。被取付面となる第１扁平面２１ａとは反対側の対向面は平面に限られず、湾曲した面であっても良い。荷物ボックスＢの内面Ｂａに取り付けられた状態で下側となる面（例えば第４側面２１ｆ）は、湾曲面である必要はなく、平面であっても良い。荷物ボックスＢの内面Ｂａに取り付けられた状態で上側となる面（例えば第３側面２１ｅ）は、半円状の湾曲面の他、第１扁平面２１ａから第２扁平面２１ｂに向かって下る概略１／４円状の湾曲面であっても良い。
【００４３】
さらに、前記実施形態では、データ取り出し部が、メモリカードが装着されるメモリ挿入口であったが、その他、ＵＳＢメモリ等の接続ポートであっても良いし、通信ケーブルが差し込まれるコネクタであっても良い。記録媒体としては、着脱可能かどうかを問わず、ケーシング本体部２１内に完全に組み込まれたメモリでも良く、それを着脱可能なものと組み合わせて利用しても良い。
【００４４】
その上、前記実施形態では、筒壁部２３の外側周面２３ｍ全体がケーシング本体部２１の外側周面２１ｍと同一面状に連続するものであったが、図９に示すように、筒壁部２３の外側周面２３ｍの周方向の一部分がケーシング本体部２１の外側周面２１ｍと同一面状に連続するものであっても良い。例えば、筒壁部２３の外側周面２３ｍが、ケーシング本体部２１の第２扁平面２１ｂ及び第３側面２１ｅと同一面状に連続するものであっても良い。
【００４５】
また、前記ケーシングに収容される検知手段の一部又は全部をドライビングレコーダの外部に設けられたセンサ機器に置き換えて、当該センサ機器からの外部入力を用いて状態データとしても良い。
【００４６】
さらに、前記実施形態のドライビングレコーダは、走行中の種々の状態データを常時記録する構成のみからなるものとしても良い。
【００４７】
その他、本発明は前記実施形態に限られず、その趣旨を逸脱しない範囲で種々の変形が可能であるのは言うまでもない。
【符号の説明】
【００４８】
１００・・・ドライビングレコーダ
２１・・・ケーシング本体部
２１ｍ・・・外側周面
２２・・・メモリ挿入口（データ取り出し部）
２３・・・筒壁部
２３ｍ・・・外側周面
２３ｎ・・・内側周面
２４・・・キャップ部材
Ｘ・・・開口方向
２４２・・・引っ掛かり部
２１ａ・・・第１扁平面（被取付面）
２１ｂ・・・第２扁平面（対向面）
２１ｃ・・・第１側面
【図１】
2014102769.tif 000003
【図２】
2014102769.tif 000004
【図３】
2014102769.tif 000005
【図４】
2014102769.tif 000006
【図５】
2014102769.tif 000007
【図６】
2014102769.tif 000008
【図７】
2014102769.tif 000009
【図８】
2014102769.tif 000010
【図９】
2014102769.tif 000011